(57)【要約】【課題】放射器と、板状の反射器とをアンテナケースに収納してなるアンテナ装置において、装置の大型化を招くことなく、ケースの裏面に設けられる装着部の強度を確保する。【解決手段】板状の放射器及び反射器を互いに対向させた状態で収納するケース本体１０の底部１３には、アンテナ装置を取付対象物に固定する固定部材を装着するための装着部３０が形成される。装着部３０は、ケース本体１０の裏面から所定の高さ位置まで突出された壁部４０を介して形成され、壁部４０において、外周端縁とは反対側は、所定角度で傾斜した傾斜部４０ａとなっている。傾斜部４０ａには、その傾斜方向に沿って、２条の溝部４２が形成されており、傾斜部４０ａ及び装着部３０におけるケース本体１０の内側面、及び、ケース本体１０の底部１３と傾斜部４０ａとの境界部分にも、溝部４２に平行な板状のリブ４４、４６が複数形成されている。【選択図】図４
2014068270.tif 000002
【特許請求の範囲】
【請求項１】
直線偏波の電波を放射する放射器と、導電性を有する板状部材からなる反射器とを、該反射器の板面を前記放射器と対向させた状態で収納するよう、電波を透過可能な樹脂にて形成されたアンテナケースであって、
前記反射器の板面よりも大きい開口部を有し、該開口部とは反対側の底部から前記開口部に向けて、前記反射器及び前記放射器を間隔を開けて支持するための支持部が突出された、箱状のケース本体と、
該ケース本体に前記反射器及び前記放射器を収納した状態で前記開口部を閉塞するためのカバーと、
を備え、
前記ケース本体の底部において、前記開口部とは反対側の裏面には、当該裏面の一辺である外周端縁に沿って、当該アンテナケースを取付対象物に固定する固定部材を装着するための装着部が、前記裏面から所定の高さ位置まで突出された壁部を介して形成され、
前記壁部において、前記外周端縁とは反対側は、前記ケース本体の底部の裏面から前記所定の高さ位置まで所定角度で傾斜した傾斜部となっており、
しかも、前記ケース本体の底部において、
前記ケース本体の裏面から前記傾斜部には、前記傾斜部の傾斜方向に沿って、前記ケース本体の内部に向けて窪んだ断面凹字状の溝部が１又は複数形成されると共に、
前記傾斜部及び前記装着部において、前記ケース本体の内側面には、前記溝部に平行な板状のリブが複数形成され、
更に、前記ケース本体の内側で、前記ケース本体の前記底部と前記傾斜部との境界部分にも、前記溝部に平行な板状のリブが複数形成されていることを特徴とするアンテナケース。
【請求項２】
直線偏波の電波を放射する放射器と、
導電性を有する板状部材からなる反射器と、
前記放射器と前記反射器とを、前記反射器の板面を前記放射器と対向させた状態で収納するよう、電波を透過可能な樹脂にて形成されたアンテナケースと、
を備えたアンテナ装置であって、
前記アンテナケースは、請求項１に記載のアンテナケースにて構成されていることを特徴とするアンテナ装置。
【発明の詳細な説明】
【技術分野】
【０００１】
本発明は、直線偏波の電波を放射する放射器と、導電性を有する板状部材からなる反射器とを、反射器の板面を放射器と対向させた状態で収納するためのアンテナケース、及び、このアンテナケースを備えたアンテナ装置に関する。
【背景技術】
【０００２】
従来、導電性を有する板状部材に複数の開口部を形成することにより反射器を構成し、この反射器に対し、所定の間隔を空けて、スケルトンスロットアンテナを構成する板状のアンテナ素子を平行に配置することにより、建造物等の壁面に取付可能に構成された、薄型のアンテナ装置が知られている（例えば、特許文献１参照）。
【０００３】
そして、この種のアンテナ装置は、反射器及び放射器が、矩形で薄型のアンテナケース内に収納され、そのアンテナケースの裏面に取付金具を装着することで、取付金具を介して、取付対象物（建造物の壁面や支柱等）に取り付けられる。
【先行技術文献】
【特許文献】
【０００４】
【特許文献１】特開２０１２−１０３２８号公報
【発明の概要】
【発明が解決しようとする課題】
【０００５】
ところで、上記アンテナ装置には、受信電波（例えば、テレビ放送電波）の強度に応じて、強電界強度用のものや、低電界強度用のものがある。
そして、低電界強度用のアンテナ装置は、強電界強度用のものに比べて、放射器及び反射器が大型化し、延いては、アンテナケースも大きくなって、重量も重くなる。
【０００６】
この場合、低電界強度用のアンテナ装置において、取付金具や、アンテナケースにおける取付金具の装着部を、強電界強度用のアンテナ装置に比べて大きくすれば問題ないが、このようにすると、取付金具を種類の異なるアンテナ装置間で共用することができず、コストアップになる。
【０００７】
一方、取付金具をアンテナ装置間で共用するため、低電界強度用のアンテナ装置（詳しくはアンテナケース）において、取付金具の装着部を、強電界強度用のアンテナ装置と同様に構成すると、装着部（延いてはアンテナケース）には、アンテナ装置の自重や風によって過大な力が加わり、アンテナケースが破損することが考えられる。
【０００８】
また特に、上記アンテナ装置は、建造物の壁面に取り付けて使用することができるため、装着部は、取付作業をし易くするため、アンテナケースの裏面の中央ではなく、その裏面の一辺である外周端縁に沿って設けられる。
【０００９】
このため、上記アンテナ装置は、装着部からアンテナケースに過大な力が加わり易く、アンテナケースにおける装着部周囲の強度アップが求められている。
なお、強度アップのために、鉄板等の補強部材を設けたり、アンテナケースにおける装着部及びその周囲の厚みを大きくすることが考えられるが、このような対策では、アンテナ装置の重量が増加するので、更に補強が必要となり、アンテナ装置（アンテナケース）の大型化を招くという問題がある。
【００１０】
本発明は、こうした問題に鑑みなされたものであり、直線偏波の電波を放射する放射器と、導電性を有する板状部材からなる反射器とを、反射器の板面を放射器と対向させた状態でアンテナケースに収納してなるアンテナ装置において、アンテナ装置の大型化を招くことなく、アンテナケースの裏面に設けられる装着部の強度を確保できるようにすることを目的とする。
【課題を解決するための手段】
【００１１】
かかる目的を達成するためになされた請求項１に記載の発明は、直線偏波の電波を放射する放射器と、導電性を有する板状部材からなる反射器とを、該反射器の板面を前記放射器と対向させた状態で収納するよう、電波を透過可能な樹脂にて形成されたアンテナケースであって、
前記反射器の板面よりも大きい開口部を有し、該開口部とは反対側の底部から前記開口部に向けて、前記反射器及び前記放射器を間隔を開けて支持するための支持部が突出された、箱状のケース本体と、
該ケース本体に前記反射器及び前記放射器を収納した状態で前記開口部を閉塞するためのカバーと、
を備え、
前記ケース本体の底部において、前記開口部とは反対側の裏面には、当該裏面の一辺である外周端縁に沿って、当該アンテナケースを取付対象物に固定する固定部材を装着するための装着部が、前記裏面から所定の高さ位置まで突出された壁部を介して形成され、
前記壁部において、前記外周端縁とは反対側は、前記ケース本体の底部の裏面から前記所定の高さ位置まで所定角度で傾斜した傾斜部となっており、
しかも、前記ケース本体の底部において、
前記ケース本体の裏面から前記傾斜部には、前記傾斜部の傾斜方向に沿って、前記ケース本体の内部に向けて窪んだ断面凹字状の溝部が１又は複数形成されると共に、
前記傾斜部及び前記装着部において、前記ケース本体の内側面には、前記溝部に平行な板状のリブが複数形成され、
更に、前記ケース本体の内側で、前記ケース本体の前記底部と前記傾斜部との境界部分にも、前記溝部に平行な板状のリブが複数形成されていることを特徴とする。
【００１２】
また、請求項２に記載の発明は、直線偏波の電波を放射する放射器と、
導電性を有する板状部材からなる反射器と、
前記放射器と前記反射器とを、前記反射器の板面を前記放射器と対向させた状態で収納するよう、電波を透過可能な樹脂にて形成されたアンテナケースと、
を備えたアンテナ装置であって、
前記アンテナケースは、請求項１に記載のアンテナケースにて構成されていることを特徴とする。
【発明の効果】
【００１３】
このように、本発明のアンテナケース及びアンテナ装置においては、アンテナケースを構成するケース本体の底部において、ケース本体の開口部とは反対側の裏面には、その裏面の一辺である外周端縁に沿って、アンテナケース（延いてはアンテナ装置）を取付対象物に固定する固定部材を装着するための装着部が設けられている。
【００１４】
そして、この装着部は、ケース本体の底部の裏面から所定の高さ位置まで突出された壁部を介して形成されており、その壁部において、外周端縁とは反対側は、ケース本体の底部の裏面から所定の高さ位置まで所定角度で傾斜した傾斜部となっている。
【００１５】
そして、ケース本体の裏面から傾斜部には、傾斜部の傾斜方向に沿って、ケース本体の内部に向けて窪んだ断面凹字状の溝部が１又は複数形成されており、しかも、その傾斜部及び装着部におけるケース本体の内側面、及び、ケース本体の内側でケース本体の底部と傾斜部との境界部分には、それぞれ、溝部に平行な板状のリブが複数形成されている。
【００１６】
従って、固定部材の装着部及びその周囲は、傾斜部の斜面と、その斜面に設けられた溝部と、ケース本体の内側に設けられた複数のリブとにより補強され、単に、ケース本体の底部の裏面から所定の高さ位置まで装着部形成用の壁部を立設した場合に比べて、装着部（延いてはアンテナケース）の強度を高めることができる。
【００１７】
よって、本発明によれば、アンテナ装置の大型化を招くことなく、アンテナケースの裏面に設けられる装着部の強度（延いてはアンテナケースの強度）を確保することができるようになる。
【図面の簡単な説明】
【００１８】
【図１】実施形態のアンテナ装置の外観を表し、（ａ）はアンテナ装置を斜め正面側から見た状態を表す斜視図、（ｂ）はアンテナ装置を斜め裏面側から見た状態を表す斜視図である。
【図２】アンテナ装置のケース本体の内部構成を表す斜視図であり、（ａ）はケース本体からカバーを取り外した状態を表し、（ｂ）は更に放射器を取り外した状態を表し（ｃ）は更に反射器を取り外した状態を表す。
【図３】実施形態の取付金具及び取付金具のアンテナ装置への装着状態を表す説明図である。
【図４】ケース本体の底部に形成された装着部の構成を表わす説明図であり、（ａ）は装着部をケース本体の外側から見た状態を表し、（ｂ）は装着部をケース本体の内側から見た状態を表す。
【発明を実施するための形態】
【００１９】
以下に本発明の実施形態を図面と共に説明する。
本実施形態のアンテナ装置２は、ＵＨＦ帯のテレビ放送電波を受信するためのものであり、図２に示す放射器４ａ、４ｂ及び反射器６ａ、６ｂを、電波を透過可能な合成樹脂製で防水型のアンテナケース８（図１参照）内に収納することにより構成されている。
【００２０】
ここで、放射器４ａ、４ｂは、金属板等からなる導電材料の薄板を、例えば金型を使って打ち抜き成形することにより、スケルトンスロットアンテナとして構成されている。
また、反射器６ａ、６ｂも、金属板等からなる導電材料の薄板を、金型を使って所定の形状に打ち抜き成形することにより構成されている。
【００２１】
なお、放射器４ａ、４ｂ及び反射器６ａ、６ｂの形状については、上述した特許文献１等に記載されており、本願発明の主要部ではないので、詳細な説明は省略する。
次に、アンテナケース８は、図１、２に示すように、反射器６ａ、６ｂの板面よりも大きい開口部１１を有する扁平な箱状のケース本体１０と、このケース本体１０に放射器４ａ、４ｂ及び板状の反射器６ａ、６ｂを収納した状態で開口部１１を閉塞するカバー５０とから構成されている。
【００２２】
図２に示すように、ケース本体１０において、開口部１１とは反対側の底部１３からは、開口部１１に向けて、放射器４ａ、４ｂ及び反射器６ａ、６ｂを間隔を開けて支持するための多数の支持部１４及び１６が突設されている。
【００２３】
支持部１４、１６の内、放射器４ａ、４ｂを支持する支持部１４は、底部１３表面からの高さが、反射器６ａ、６ｂを支持する支持部１６に比べて高くなっている。
このため、図３（ａ）〜（ｃ）から明らかなように、ケース本体１０内には、まず、支持部１６を介して、反射器６ａ、６ｂが装着され、その後、支持部１４を介して、放射器４ａ、４ｂが装着される。
【００２４】
この結果、反射器６ａ、６ｂ及び放射器４ａ、４ｂは、所定の間隔を空けて互いに対向するよう、ケース本体１０内に固定されることになる。
また、反射器６ａ、６ｂ及び放射器４ａ、４ｂのケース本体１０への固定は、支持部１６、１４へのねじ止めにより行われる。
【００２５】
そして、放射器４ａ、４ｂの支持部１４は、ねじ止め用の支持部１４ａと、放射器４ａ、４ｂの板面の一部を曲げ加工することにより形成された突起（図示せず）と嵌合して、放射器４ａ、４ｂを位置決めする位置決め用の支持部１４ｂと、により構成されている。
【００２６】
また、放射器４ａと反射器６ａ、及び、放射器４ｂと反射器６ｂは、ケース本体１０内で互いに対向配置されることで、一つのアンテナを構成しており、これら各アンテナの間には、放射器４ａ、４ｂの給電点にそれぞれ接続された給電基板１８が配置されている。
【００２７】
この給電基板１８は、ケース本体１０の底部１３に立設された支持部１９を介して、ケース本体１０内の略中央に位置決め固定されている。
そして、この給電基板１８は、ケース本体１０の底部１３の略中央で開口部１１とは反対側の面（つまり、底部１３の裏面）に設けられた端子ケース２０内のＦ型接栓２２に接続されている（図１（ｂ）参照）。
【００２８】
このため、このＦ型接栓２２に、同軸ケーブルの先端に装着されたＦ型プラグを接続することで、放射器４ａ、４ｂからの受信信号を同軸ケーブルを介して取り出すことができる。
【００２９】
なお、端子ケース２０は、Ｆ型接栓２２における給電基板１８への接続部分を保護すると共に、Ｆ型接栓２２のＦ型プラグ接続部分をアンテナ装置２の下方に突出させて、その接続部分を雨水から保護するためのものである。
【００３０】
また、図１（ｂ）に示すように、ケース本体１０の底部１３の裏面側には、端子ケース２０よりも下方に位置する外周端縁に沿って、取付金具６０の装着部３０が形成されている。
【００３１】
取付金具６０は、アンテナ装置２を建造物の壁面若しくは支柱に取り付けるためのものであり、建造物の壁面や支柱に当接される板状の当接部６２と、この当接部６２の上下両端縁から当接部６２の当接面とは直交する方向に延設された一対の支持片６４ａ、６４ｂと、これら一対の支持片６４ａ、６４ｂを貫通するように設けられるボルト６６とから構成されている。
【００３２】
そして、一対の支持片６４ａ、６４ｂの内、上方の支持片６４ａには、ボルト６６の先端に形成されたねじ部と螺合可能なナット６８が設けられており、下方の支持片６４ｂには、ボルト６６が挿通される挿通孔６９が形成されている。
【００３３】
また、この挿通孔６９は、ボルト６６のねじ部６７を螺合可能なねじ山（雌ネジ）が形成されており、ボルト６６のねじ部６７から頭部に至る部分は、ねじ部６７よりも小径になっている。
【００３４】
このため、ボルト６６は、ねじ部６７を、支持片６４ｂの挿通孔６９を通して支持片６４ａと６４ｂとの間に配置しておけば、ねじ部６７を支持片６４ａのナット６８に螺合しなくても、取付金具６０から抜け落ちることはない。
【００３５】
一方、装着部３０は、上下方向の長さが、取付金具６０の上下の支持片６４ａ、６４ｂの間に挿入可能な長さに設定されている。そして、装着部３０には、その内部を上下方向に貫通するよう、断面Ｔ字状で幅方向に長いボルト挿通孔３２が形成されている。
【００３６】
また、ボルト挿通孔３２の内、Ｔ字の幅方向の横方向の長孔は、ケース本体１０の裏面に対し略平行に形成され、Ｔ字の縦方向の孔は、ケース本体１０の裏面に向けて形成されている。
【００３７】
そして、取付金具６０は、上下の支持片６４ａ、６４ｂでボルト挿通孔３２の両端を覆うように、装着部３０に装着され、装着後、ボルト６６をボルト挿通孔３２に通して、ボルト６６のねじ部６７をナット６８に螺合し、締め付けることにより、位置決め固定される。
【００３８】
従って、ねじ部６７をナット６８に締め付ける前は、ボルト６６をボルト挿通孔３２内で移動させることができる。よって、図３（ｂ）〜（ｄ）に例示するように、ボルト６６（換言すれば取付金具６０）と、ケース本体１０（換言すればアンテナ装置２）との相対位置を変更できると共に、ボルト６６を中心としてアンテナ装置２を回動させることで、放射器４ａ、４ｂによる電波の放射方向を任意に設定することができる。
【００３９】
次に、このように取付金具６０が装着されるアンテナ装置２の装着部３０は、ケース本体１０の底部１３を裏面側に凹ませることで、ケース本体１０の裏面よりも外方向に所定高さだけ高い位置に配置されている。
【００４０】
つまり、図４に示すように、ケース本体１０の底部１３において、開口部１１とは反対側の裏面には、所定の高さ位置まで突出された壁部４０が形成され、装着部３０は、その壁部４０を介して、ケース本体１０に一体形成されている。
【００４１】
そして、壁部４０の内、ケース本体１０の裏面の外周端縁に沿った壁部と、その壁部に直交する壁部は、ケース本体１０の裏面に対し略直交するように立設されているが、ケース本体１０の裏面の外周端縁とは反対側は、ケース本体１０の底部１３の裏面から所定の高さ位置まで所定角度で傾斜した傾斜部４０ａとなっている。
【００４２】
そして、ケース本体１０の底部の裏面から傾斜部４０ａには、傾斜部４０の傾斜方向に沿って（換言すればケース本体１０の上下方向に）、ケース本体１０の内部に向けて窪んだ断面凹字状の溝部４２が２条形成されている。
【００４３】
また、傾斜部４０ａ及び装着部３０において、ケース本体１０の開口部１１側の面（つまり底部１３の内側面）には、上記２条の溝部４２に平行な板状のリブ４４が多数形成されており、ケース本体１０の内側で、ケース本体１０の底部１３と傾斜部４０ａとの境界部分にも、溝部４２に平行な板状のリブ４６が複数（図では４列）形成されている。
【００４４】
ケース本体１０（換言すればアンテナ装置２）における取付金具６０の装着部３０及びその周囲は、傾斜部４０ａと、溝部４２と、リブ４４、４６とにより補強され、単に、ケース本体１０の底部１３の裏面から所定の高さ位置まで装着部形成用の壁部を立設した場合に比べて、装着部３０（延いてはケース本体１０）の強度を高めることができる。
【００４５】
よって、本実施形態のアンテナ装置２によれば、アンテナ装置の大型化を招くことなく、アンテナケース８の裏面に設けられる装着部３０の強度（延いてはアンテナケース８の強度）を確保することができるようになる。
【００４６】
なお、本実施形態において、取付金具６０は、特許請求の範囲に記載の固定部材に相当する。
そして、本実施形態のアンテナ装置２において、ケース本体１０の底面１３の裏面側には、アンテナケース８の上下・左右の４箇所に、Ｆ型プラグを介してＦ型接栓２２に接続された同軸ケーブルを固定するためのケーブル固定部３６が形成されている。
また、同じくケース本体１０の底面１３の裏面側には、アンテナケース８の上下方向の略中央で、左右両側に、上下方向に長い矩形の凹部３８が形成されている。この凹部３８は、アンテナ装置２を運ぶ際に、作業者等が凹部３８に指を入れて、アンテナ装置２を簡単に運ぶことができるようにするためのものである。
【００４７】
以上、本発明の一実施形態について説明したが、本発明は、上記実施形態に限定されるものではなく、本発明の要旨を逸脱しない範囲内にて、種々の態様をとることができる。
例えば、固定部材は、上記実施形態に記載のような金具ではなく、合成樹脂製のものであってもよい。また、固定部材の装着部についても、必ずしも、上記実施形態のようにボルトを貫通させるボルト挿通孔を形成する必要はなく、例えば、固定部材と嵌合可能な嵌合孔や嵌合溝を形成するようにしてもよい。
【符号の説明】
【００４８】
２…アンテナ装置、４ａ，４ｂ…放射器、６ａ，６ｂ…反射器、８…アンテナケース、１０…ケース本体、１１…開口部、１３…底部、１４，１４ａ，１４ｂ，１６，１９…支持部、１８…給電基板、２０…端子ケース、２２…Ｆ型接栓、３０…装着部、３２…ボルト挿通孔、３６…ケーブル固定部、３８…凹部、４０…壁部、４０ａ…傾斜部、４２…溝部、４４，４６…リブ、５０…カバー、６０…取付金具、６２…当接部、６４ａ，６４ｂ…支持片、６６…ボルト、６７…ねじ部、６８…ナット、６９…挿通孔。
【図１】
2014068270.tif 000003
【図２】
2014068270.tif 000004
【図３】
2014068270.tif 000005
【図４】
2014068270.tif 000006